(57)【要約】【課題】  入退室管理装置を、初回入室・最終退室者の限定機能及び入退室通知機能を備えた警備性及び利便性の高いものにする。【解決手段】  個人識別端末器６で通行利用者の識別番号を読み取ると、管理データ（図示しない）を検索して、その利用者に通行権限があるかを判断して入室又は退室を許可する。すなわち、電気錠５を解錠する。このとき、チャイム７がその利用者に応じた音色で鳴動する。通行権限があっても、初回入室（無人状態への入室）又は最終退室（有人状態からの最終退室）の権限がなければ、入室又は退室は許可されない。【選択図】      図２
2005078444.tif 000002
【特許請求の範囲】
【請求項１】
部屋の扉の近傍に個人識別装置を設置し、この個人識別装置に入力される通行利用者の個人情報を判断して、上記部屋への入室及び上記部屋からの退室の許可／不許可を判断する装置において、上記個人ごとに上記扉を通行する権限、上記部屋が無人状態時の初回入室権限及び有人状態からの最終退室権限を記入した管理データを格納したメモリを設け、上記個人情報の入力時上記管理データから、上記通行利用者が上記扉を通行する権限並びに上記初回入室権限及び最終退室権限を識別して、上記入室又は退室の許可／不許可を判断する入退室判断手段を備えたことを特徴とする入退室管理装置。
【請求項２】
部屋内に聴覚報知器を設置し、通行者に対して入室又は退室が許可され、かつ管理データにこの通行利用者の入室通知又は退室通知が設定されていると、上記聴覚報知器を鳴動させる第１の入退室通知手段を設けたことを特徴とする請求項１記載の入退室管理装置。
【請求項３】
聴覚報知器の音色を通行利用者に応じて変化させるものとしたことを特徴とする請求項２記載の入退室管理装置。
【請求項４】
部屋内に、又は携帯可能な電子メール装置を設け、通行者に対して入室又は退室が許可され、かつ管理データにこの通行利用者の入室通知又は退室通知が設定されていると、上記電子メール装置に上記通行利用者の入室又は退室を通知する第２の入退室通知手段を設けたことを特徴とする請求項１記載の入退室管理装置。
【発明の詳細な説明】
【技術分野】
【０００１】
この発明は、個人識別装置によって入室又は退室の許可／不許可を判断して通行を管理する装置に関するものである。
【背景技術】
【０００２】
従来のアクセスコントロール装置は、通行扉のグループ編成によりアクセスグループを設定する場所設定手段、曜日毎の通行時間帯のパターン編成によりアクセスタイムインターバルを設定する時間設定手段、前記アクセスグループ及び前記アクセスタイムインターバルの組み合せによりアクセスクラスを設定し、個人の通行パターンを設定するアクセス設定手段、並びに前記アクセスクラス及び外部から入力される個人識別情報に基づいて個人の通行の適否を判断するＩＤ照合手段を備えた構成になっている（例えば、特許文献１参照）。
【０００３】
【特許文献１】特開平６−１８５２４９号公報（請求項１、図１）
【発明の開示】
【発明が解決しようとする課題】
【０００４】
上記のような従来のアクセスコントロール装置では、部屋が無人状態時の初回入室や有人状態からの最終退室時にも特別な権限はなく、通行権限だけにより通行許可／不許可を判断しているため、清掃業者や関連会社及び他部門の人が、無人状態にある自部門の部屋への入室を制限することができず、有人状態においても無人状態においても、常に通行を許可するか、しないかのいずれかで運用せざるを得ない。また、有人状態における入室においても、自部門以外の人が入室したことを自部門の人が認識することができず、警備性、利便性に優れたものではないという問題点がある。
【０００５】
この発明は、上記問題点を解消するためになされたもので、初回入室・最終退室者限定機能及び入退室通知機能を持つ、警備性・利便性の高い入退室管理装置を提供することを目的とする。
【課題を解決するための手段】
【０００６】
この発明に係る入退室管理装置は、個人識別装置に入力される通行利用者ごとに、部屋の扉を通行する権限、部屋が無人状態時の初回入室権限及び有人状態からの最終退室権限を記入した管理データを格納したメモリを設け、個人情報の入力時管理データから、通行利用者が扉を通行する権限並びに初回入室権限及び最終退室権限を識別して、入室又は退室の許可／不許可を判断するようにしたものである。
【発明の効果】
【０００７】
この発明は、上記のように構成されているので、自部門の部屋に自部門の人が不在の場合に、清掃会社や関連会社及び他部門の人が在室することを防止することができる。
【発明を実施するための最良の形態】
【０００８】
実施の形態１．
図１〜図４は、この発明の一実施の形態を示す図で、図１は建物平面図、図２はブロック線図、図３は通行利用者管理データ内容図、図４は動作フローチャートであり、図中同一部分は同一符号により示す。
【０００９】
図１において、建物１には部屋２及び廊下３が設けられている。廊下３から部屋２へ通じる扉４には電気錠５が設けられている。また、扉４の近傍には、通行利用者の所持する磁気カード、ＩＣカード等の個人カードに格納された個人識別情報を読み取る個人識別端末器６が設置されている。なお、個人識別端末器６は廊下３側及び部屋２側の両方（入室用及び退室用）から操作可能となっている。また、部屋２内にはチャイム７（聴覚報知器）が設けられている。
【００１０】
図２において、電気錠５、個人識別端末器６及びチャイム７は個人識別装置８に接続され、複数個の個人識別装置８は、管理室に設置された管理用端末器９に接続されている。個人識別装置８は通行利用者の通行許可／不許可を判断し、かつ電気錠６及びチャイム７を制御する。管理用端末器９は通行利用者の通行権限や初回入室・最終退室権限及び入退室通知の管理データ（図３）を登録する。なお、初回入室・最終退室の権限は、警備解除・警備設定や警戒解除・警戒設定の意味としてもよい。
【００１１】
図３において、通行利用者管理データ１０は、管理用端末器９から個人識別装置８に格納され、識別番号、利用者名、通行権限の有無、初回入室及び最終入室の許可／不許可並びに入室／退室の通知設定（音声及びメール）により構成されている。
ここで、個人識別装置８は、格納された通行利用者管理データ１０に従い、通常時の通行許可／不許可の判断、初回入室及び最終退室時の通行許可／不許可の判断及び入室時のチャイム・音声鳴動やメールによる入退室通知の判断を実行する。
【００１２】
次に、通行利用者管理データ１０による通行管理の例を、今少し詳細に説明する。
１）利用者Ａは通行権限を有しているので、扉４による入退室が可能であり、更に初回入室・最終退室も可能である。自部門の通行利用者は通常これに該当する。
２）利用者Ｂは通行権限を有しているので、扉４による入退室が可能であり、入退室時にはチャイム７が音色（１）で鳴動する。初回入室・最終退室は権限がないため制限され、自部門の人がいない限り入退室できない。関連会社や他部門の通行利用者は通常これに該当する。
【００１３】
３）利用者Ｃは通行権限を有しているので、扉４による入退室が可能であり、入室時にはチャイム７が音色（２）で鳴動するとともに、管理者へメールでも入退室通知される。初回入室・最終退室は権限がないため制限され、自部門の人がいない限り入退室できない。清掃業者、外来者などは通常これに該当する。
４）利用者Ｄは通行権限を有していないので、扉４による入退室は不可能である。
【００１４】
次に上記実施の形態の個人識別装置８による通行許可／不許可を判断する制御動作を、図４を参照して説明する。
ステップＳ１で通行利用者の識別番号を読み取り、ステップＳ２でその識別番号が通行利用者管理データ１０に登録されていて、かつこの扉４による通行権限があるかを判断する。登録されていない場合は、ステップＳ１１へ飛んで通行不許可と判断し、この時点で処理は終了する。
【００１５】
登録されている場合はステップＳ３へ進み、入室操作かを判断する。入室操作の場合はステップＳ４で初回入室（無人状態への入室）かを判断し、更にステップＳ５で初回入室権限を有しているかを判断する。ステップＳ４で初回入室でないと判断された場合及び初回入室と判断され、かつステップＳ５で初回入室権限を有していると判断された場合は、ステップＳ６へ進んで入室許可となり、電気錠５が解錠される。ステップＳ５で初回入室権限を有していないと判断されると、ステップＳ１１で通行不許可となる。
【００１６】
この後、ステップＳ７で入室通知（音声）の設定がされているかを判断し、されている場合はステップＳ８で該当するチャイム・音声を鳴動してステップＳ９へ進む。入室通知（音声）の設定がされていない場合は、ステップＳ８を実行せずステップＳ９へ飛ぶ。ステップＳ９で入室通知（メール）の設定がされているかを判断し、されている場合はステップＳ１０で該当アドレスへ入室者情報を通知する。入室通知（メール）の設定がされていない場合は、ステップＳ１０を実行せず処理は終了する。
【００１７】
一方、ステップＳ３で退室操作と判断された場合は、ステップＳ１２へ進み最終退室（有人状態からの最終退室）かを判断し、更にステップＳ１３で最終退室権限を有しているかを判断する。ステップＳ１２で最終退室でないと判断された場合及び最終退室と判断され、かつステップＳ１３で最終退室権限を有していると判断された場合は、ステップＳ１４へ進んで退室許可となる。ステップＳ１３で最終退室権限を有していないと判断されると、ステップＳ１１で通行不許可となる。
【００１８】
この後、ステップＳ１５で退室通知（音声）の設定がされているかを判断し、されている場合はステップＳ１６で該当するチャイム・音声を鳴動してステップＳ１７へ進む。退室通知（音声）の設定がされていない場合は、ステップＳ１６を実行せずステップＳ１７へ飛ぶ。ステップＳ１７で退室通知（メール）の設定がされているかを判断し、されている場合はステップＳ１８で該当アドレスへ退室者情報を通知する。退室通知（メール）の設定がされていない場合は、ステップＳ１８を実行せず処理は終了する。
【００１９】
ここで、ステップＳ１〜Ｓ６、Ｓ１２〜Ｓ１４は入退室判断手段を、ステップＳ６〜Ｓ８、Ｓ１４〜Ｓ１６は第１の入退室通知手段を、ステップＳ６，Ｓ９，Ｓ１０、Ｓ１４，Ｓ１７，Ｓ１８は第２の入退室通知手段を構成している。
このようにして、通行利用者が扉４の通行権限を有し、かつ初回入室及び最終退室の権限を識別して、入室又は退室の許可／不許可を判断するようにしたため、自部門の部屋に自部門の人が不在の場合に、清掃業者や関連会社及び他部門の人が在室することを防止することが可能となる。
【００２０】
また、自部門の人が在室する場合でも、自部門以外の人が入室した場合には、チャイムや音声を鳴動したり、その音色を変更したりするようにしたため、直感的に入室を把握でき、警備性の向上を図ることが可能となる。また、その場にいなくても、電子メールでも来客等の情報を確認することができ、利便性の向上が可能となる。
【図面の簡単な説明】
【００２１】
【図１】この発明の実施の形態１を示す建物平面図。
【図２】この発明の実施の形態１を示すブロック線図。
【図３】この発明の実施の形態１を示す通行利用者管理データ内容図。
【図４】この発明の実施の形態１を示す動作フローチャート。
【符号の説明】
【００２２】
１  建物、２  部屋、３  廊下、４  扉、５  電気錠、６  個人識別端末器、７  チャイム（聴覚報知器）、８  個人識別装置、９  管理用端末器、１０  通行利用者管理データ。
Ｓ１〜Ｓ６、Ｓ１２〜Ｓ１４  入退室判断手段、Ｓ６〜Ｓ８、Ｓ１４〜Ｓ１６  第１の入退室通知手段、Ｓ６，Ｓ９，Ｓ１０、Ｓ１４，Ｓ１７，Ｓ１８  第２の入退室通知手段。
【図１】
2005078444.tif 000003
【図２】
2005078444.tif 000004
【図３】
2005078444.tif 000005
【図４】
2005078444.tif 000006